(57)【特許請求の範囲】
【請求項１】
遊技盤面に遊技球の落入口を備えた特別入賞装置と、
図柄が変動される図柄表示装置と、
遊技球の落入によって該図柄表示装置の図柄変動を起動させる図柄始動口と、
「大当たり」状況の発生に伴って開放される電動役物である大入賞口とを備えるパチンコ遊技機において、
特別入賞装置には前記落入口を介して落入した遊技球が入賞可能な特別入賞領域を備え、該特別入賞領域への遊技球の落入により「大当たり」状況が発生し前記大入賞口が開放される遊技状況を設定制御する第一の大当たり発生制御手段と、
前記図柄始動口への遊技球の落入により図柄変動される図柄表示装置の停止図柄が予め設定された「大当たり」図柄と一致することにより「大当たり」状況が発生し前記大入賞口が開放される遊技状況を設定制御する第二の大当たり発生制御手段とを備え、
前記第一の大当たり発生手段により設定制御される「大当たり」遊技状況において、
前記図柄始動口への遊技球の落入により図柄変動される図柄表示装置の停止図柄が「大当たり」図柄となっても前記第二の大当たり発生手段を起動させないように規制する第一の規制手段を備えることを特徴とするパチンコ遊技機。
【請求項２】
遊技盤面に遊技球の落入口を備えた特別入賞装置と、
図柄が変動される図柄表示装置と、
遊技球の落入によって該図柄表示装置の図柄変動を起動させる図柄始動口と、
「大当たり」状況の発生に伴って開放される電動役物である大入賞口とを備えるパチンコ遊技機において、
特別入賞装置には前記落入口を介して落入した遊技球が入賞可能な特別入賞領域を備え、該特別入賞領域への遊技球の落入により「大当たり」状況が発生し前記大入賞口が開放される遊技状況を設定制御する第一の大当たり発生制御手段と、
前記図柄始動口への遊技球の落入により図柄変動される図柄表示装置の停止図柄が予め設定された「大当たり」図柄と一致することにより「大当たり」状況が発生し前記大入賞口が開放される遊技状況を設定制御する第二の大当たり発生制御手段とを備え、
前記第二の大当たり発生手段により設定制御される「大当たり」遊技状況において、
前記特別入賞領域への遊技球の落入により「大当たり」遊技状況が発生しても前記第一の大当たり発生制御手段を起動させないように規制する第二の規制手段を備えることを特徴とするパチンコ遊技機。
【請求項３】
前記特別入賞装置が、前記落入口より該入賞装置に落入した遊技球を転動させる回転体と、該回転体により転動される遊技球を前記特別入賞領域とそれ以外の入賞領域とに振り分ける遊技球分配手段を備え、
該遊技球分配手段によって振り分けられた遊技球が特別入賞領域へ落入すれば前記第一の大当たり発生制御手段による遊技状況が発生し、そうでない時には「大当たり」が発生しないようにしたことを特徴とする請求項１又は２に記載のパチンコ遊技機。
【請求項４】
前記図柄表示装置が「大当たり」図柄を表示する抽選確率の高い最高確率状態と抽選確率の低い最低確率状態とを有すると共に、これらの抽選確率が所定の遊技状況の発生を契機に切換設定される抽選確率切換制御手段と、該抽選確率切換制御手段による抽選確率の移行時に前記図柄表示装置の図柄変動時間を短縮又は延長して切換設定する図柄変動時間切換設定手段とを備えることを特徴とする請求項１〜３のいずれか１に記載のパチンコ遊技機。
【請求項５】
高い抽選確率時と低い抽選確率時とでは前記図柄表示装置の図柄変動を起動させる図柄始動口への遊技球の落入記憶個数を切換制御する図柄変動用遊技球記憶個数切換手段を備えることを特徴とする請求項４に記載のパチンコ遊技機。
【発明の詳細な説明】
【０００１】
【発明の属する技術分野】
本発明はパチンコ遊技機に関し、更に詳しくは、遊技盤面に遊技球が落入可能な特別入賞装置と図柄始動口への遊技球の落入により図柄変動される図柄表示装置とを備え、特別入賞装置の特別入賞領域に遊技球が落入しても「大当たり」が発生し、図柄表示装置の変動図柄が特定の図柄と一致したときにも「大当たり」が発生するパチンコ遊技機に関するものである。
【０００２】
【従来の技術】
近年、この種のパチンコ遊技機においては、遊技盤の中央に設けられる図柄表示装置（特別図柄表示装置や普通図柄表示装置）の表示画面によって遊技者に特別の利益を発生させるものが知られている。例えば、特別図柄表示装置の複数の図柄（数字や絵模様等）が変動を開始し、停止したときの図柄の組合せによって「当たり」や「大当たり」と称される特別な遊技状況が作動し、これによって遊技盤面の下方に設けられる第一種特別電動役物である大入賞口が所定のインターバルで連続して開放され、その開放した大入賞口に多数の遊技球が落入することにより遊技者に多量の賞品球（以下「賞球」と称する）が払出されるというものである。
【０００３】
また、前記した例の他にも、第三種特別電動役物等の入賞装置の内部に設けられた特定入賞領域に遊技球が落入することによって「大当たり」が発生するものが知られている。例えば、打球発射した遊技球が遊技盤面に設けられた第三種特別電動役物である入賞装置に落入し、この遊技球が該入賞の装置内部に設けられた特定入賞領域を通過すれば「大当たり」が発生するというものである。そして、このようなパチンコ遊技機においては、該入賞装置の内部に落入した遊技球を特定入賞領域と普通入賞領域とに振り分けて落入させるための振分装置が設けられているものもある。
【０００４】
前記入賞装置内に振分装置が設けられる構成として、実公平６−２７０１号公報には、入賞装置内に遊技球を係留する孔が複数設けられた回転体を設け、この入賞装置内に落入した遊技球を回転中の回転体上に落下させて遊技球をランダムに振り分け、更にこの振り分けられた遊技球が該回転体上を転動した後、通常の入賞口若しくは特別の入賞口の何れかに落入させる入賞装置が開示されている。この入賞装置によれば、入賞装置内に落入した遊技球をランダムに振り分けることから、遊技者は該遊技球がどちらに落入するか解らない緊張感と期待感を盛り上げることができ、又、遊技に対する面白さを演出できる効果を有するものである。
【０００５】
【発明が解決しようとする課題】
しかしながら、前記実公平６−２７０１号公報に開示された入賞装置を用いた遊技機では、「大当たり」の発生は入賞装置内に設けられた特別の入賞口へ遊技球が落入することを契機とすることから、遊技球が該入賞装置へ落入すればよいが、落入しななければ「大当たり」の発生は皆無ということになり遊興性に欠けてしまう。そして、この状態が続くと遊技者は次第に興ざめし遊技が持続しなくなると共に、顧客の吸引性も失われてしまう。
【０００６】
そして又、特別図柄表示装置に表示される図柄の如何によって「大当たり」の発生の有無が決定されるパチンコ遊技機においては、適度に「大当たり」図柄が表示されればよいが、余り「大当たり」が発生しない状態が続くと、これも又、遊技者は次第に飽きがきてしまい興趣が損なわれてしまう。そのため、遊技の持続性に欠けてしまい、結果として次第に遊技場から足が遠のくといった問題があった。
【０００７】
本発明の解決しようとする課題は、遊技盤面に２つの「大当たり」発生装置として特別入賞装置と、図柄変動する図柄表示装置とを備え、図柄表示装置に「大当たり」図柄が表示された場合と特別入賞装置の特定入賞領域に遊技球が入賞した場合の何れにおいても「大当たり」が発生し、そして何れの場合においても大入賞口が開放するパチンコ遊技機を提供することにある。これにより遊技者を飽きさせず、より娯楽性の高いものにしようとするものである。
【０００８】
【課題を解決するための手段】
この課題を解決するために、本発明に係る請求項１に記載のパチンコ遊技機は、遊技盤面に遊技球の落入口を備えた特別入賞装置と、図柄変動される図柄表示装置と、遊技球の落入によって該図柄表示装置の図柄変動を起動させる図柄始動口と、「大当たり」状況の発生に伴って開放される電動役物である大入賞口とを備えると共に、特別入賞装置には前記落入口を介して落入した遊技球が入賞可能な特別入賞領域を備え、該特別入賞領域への遊技球の落入により「大当たり」状況が発生し前記大入賞口が開放される遊技状況を設定制御する第一の大当たり発生制御手段と、前記図柄始動口への遊技球の落入により図柄変動される図柄表示装置の停止図柄が予め設定された「大当たり」図柄と一致することにより「大当たり」状況が発生し前記大入賞口が開放される遊技状況を設定制御する第二の大当たり発生制御手段とを備え、前記第一の大当たり発生手段により設定制御される「大当たり」遊技状況において、前記図柄始動口への遊技球の落入により図柄変動される図柄表示装置の停止図柄が「大当たり」図柄となっても前記第二の大当たり発生手段を起動させないように規制する第一の規制手段を備えることを要旨とするものである。
また本発明に係る請求項２に記載のパチンコ遊技機は、遊技盤面に遊技球の落入口を備えた特別入賞装置と、図柄が変動される図柄表示装置と、遊技球の落入によって該図柄表示装置の図柄変動を起動させる図柄始動口と、「大当たり」状況の発生に伴って開放される電動役物である大入賞口とを備えるパチンコ遊技機において、特別入賞装置には前記落入口を介して落入した遊技球が入賞可能な特別入賞領域を備え、該特別入賞領域への遊技球の落入により「大当たり」状況が発生し前記大入賞口が開放される遊技状況を設定制御する第一の大当たり発生制御手段と、前記図柄始動口への遊技球の落入により図柄変動される図柄表示装置の停止図柄が予め設定された「大当たり」図柄と一致することにより「大当たり」状況が発生し前記大入賞口が開放される遊技状況を設定制御する第二の大当たり発生制御手段とを備え、前記第二の大当たり発生手段により設定制御される「大当たり」遊技状況において、前記特別入賞領域への遊技球の落入により「大当たり」遊技状況が発生しても前記第一の大当たり発生制御手段を起動させないように規制する第二の規制手段を備えることを要旨とするものである。
上記構成を有するパチンコ遊技機によれば、遊技盤面に設けられる特別入賞装置に落入した遊技球が、その特別入賞装置に設けられる特別入賞領域へ落入することにより「大当たり」状態が発生し大入賞口の開放状態が得られる。又、遊技盤面に設けられる図柄始動口へ遊技球が落入することによって図柄表示装置が図柄変動し、その停止図柄が大当たり図柄判定手段によって予め設定された「大当たり」図柄と一致した時も「大当たり」が発生し大入賞口の開放状態が得られる。そしてこのように、図柄表示装置の表示図柄の一致した場合と、特別入賞装置内に設けられた特別入賞領域に遊技球が落入した場合の何れの場合においても「大当たり」状態が得られるものであるから、遊技者の遊技に対する興趣と期待感は高く楽しみながら遊技を継続することができる。
更に、請求項１に記載の発明は、前記第一の大当たり発生手段により設定制御される「大当たり」遊技状況において、前記図柄始動口への遊技球の落入により図柄変動される図柄表示装置の停止図柄が「大当たり」図柄となっても前記第二の大当たり発生手段を起動させないように規制する第一の規制手段を備えるので特別入賞装置の特別入賞領域に遊技球が落入して「大当たり」状態が生じているときには、図柄表示装置に「大当たり」が発生しても図柄表示装置による「大当たり」状態は起動できない。また請求項２に記載の発明は、前記第二の大当たり発生手段により設定制御される「大当たり」遊技状況において、前記特別入賞領域への遊技球の落入により「大当たり」遊技状況が発生しても前記第一の大当たり発生制御手段を起動させないように規制する第二の規制手段を備えるから、図柄表示装置に「大当たり」が発生している時には特別入賞装置の特別入賞領域に遊技球が落入しても特別入賞装置による「大当たり」状態は起動しない。いずれの場合も、遊技者に変な期待感を持たせるようなことがない。
【００１０】
この場合、請求項３に記載の発明のように、前記特別入賞装置が、前記落入口より該入賞装置に落入した遊技球を転動させる回転体と、該回転体により転動される遊技球を前記特別入賞領域とそれ以外の入賞領域とに振り分ける遊技球分配手段を備え、該遊技球分配手段によって振り分けられた遊技球が特別入賞領域へ落入すれば前記第一の大当たり発生制御手段による遊技状況が発生し、そうでない時には「大当たり」が発生しないようにするとよい。これによって特別入賞装置に落入した遊技球はランダムに振り分けられることから、特別入賞装置へ遊技球が落入する度に「大当たり」への期待感をもって遊技を楽しむことができると共に、遊技が単調になることなく飽きがこない。
【００１３】
更に、請求項４に記載の発明のように、前記図柄表示装置が「大当たり」図柄を表示する抽選確率の高い最高確率状態と抽選確率の低い最低確率状態とを有すると共に、これらの抽選確率が所定の遊技状況の発生を契機に切換設定される抽選確率切換制御手段と、該抽選確率切換制御手段による抽選確率の移行時に前記図柄表示装置の図柄変動時間を短縮又は延長して切換設定する図柄変動時間切換設定手段とを備えるようにすれば、遊技者は同じ「大当たり」状態でも抽選確率が高い高確率状態になることを期待しながら遊技を楽しむことができる。そして、最高確率状態が設定され図柄変動所要時間が短縮されれば、それだけ「大当たり」が発生し易いことから、遊技者の期待感を更に煽ることになり興趣も増すことになる。
【００１４】
そして請求項５に記載の発明のように、高い抽選確率時と低い抽選確率時とでは前記図柄表示装置の図柄変動を起動させる図柄始動口への遊技球の落入記憶個数を切換制御する図柄変動用遊技球記憶個数切換手段を備えるようにすれば、抽選確率が高いときには該落入記憶個数を多く設定することにより、短時間で「大当たり」における抽選が行われると同時に図柄変動回数も増すことになるから、「大当たり」への期待感が更に高められることになる。
【００１５】
【発明の実施の形態】
以下、本発明の好適な実施の形態を図面を参照して詳しく説明する。
図１は、本実施例であるパチンコ遊技機の正面図を示したものである。パチンコ遊技機１０は、遊技機本体枠部を構成する外枠１１と遊技機前面枠部を構成する内枠１２とを備え、内枠１２により囲まれた遊技盤１４の周縁部に金枠１３が額縁状に嵌め込まれると共に、該金枠１３には遊技盤１４の前面を覆う開閉可能なガラス扉１５が設けられている。
【００１６】
そして、遊技機本体のガラス扉１５よりも下方位置には、遊技に供する遊技球を貯留する上球受け皿１６が設けられ、その下方には賞品球（以下「賞球」と称する。）の排出時に該上球受け皿１６から溢れた球を貯留するための下球受け皿１７が設けられている。該上球受け皿１６には球抜きボタン１８が設けられ、これを操作することにより上球受け皿１６に貯留された遊技球は下球受け皿１７に抜き落とされる。
【００１７】
また、遊技機本体の図中右下隅位置には、遊技球を遊技盤１４面に向けて発射する発射レバー２０が設けられると共に、該発射レバー２０には遊技球を一球毎に発射するための単発スイッチ２１が設けられる。そして、発射レバー２０の回動操作により打球発射電源が投入され、その回動量に応じて打球発射強さが調節される。尚、前記内枠１２の上辺縁から図中右側辺縁は、各種の点滅ランプが収容される合成樹脂製のレンズ体で構成された枠トップ飾り２２により周囲が飾られている。
【００１８】
そして、前記内枠１２に設けられる遊技盤１４面は、遊技盤に装着された金属製の内レール３５、前記発射レバー２０によって発射された遊技球を遊技盤１４面に向けて誘導する外レール３６、過大な飛翔力によって遊技盤１４面に至った遊技球の衝撃を吸収する返しゴム３８、遊技盤１４面に至った遊技球が跳ね返って打球発射部に戻ることを防止するためのファール止め３７等により遊技領域が形成されている。
【００１９】
このパチンコ遊技機１０の一側には、プリペイドカードによる球貸し機（以下「プリペイドカードユニット」と称する）２５が、各遊技機に一台ずつ設置される。そして、パチンコ遊技機１０の上球受け皿１６にはプリペイドカードによる遊技球の貸出しを操作する球貸操作部２６が設けられ、カードによる球貸出しを操作する球貸しボタン２７、その球貸出しの可能状態を示す球貸出ボタンランプ２８、カードを排出するカード返却ボタン２９、カードの残高表示及び、エラー表示を行う度数表示部３０が備えられている。
【００２０】
プリペイドカードの使用に際しては、前記プリペイドカードユニット２５に備えられるカード利用ランプ３１の点灯中にカード挿入口３２にプリペイドカードを挿入し、金額設定ボタン３３を操作することにより貸出金額（１００円、２００円、３００円、５００円等）を選択する。そして、前記球貸操作部２６の球貸しボタン２７を操作することにより、予め選択された金額分の遊技球が貸出されることになる。
【００２１】
図２は、前記パチンコ遊技機１０における遊技盤１４面の構成を示した詳細図である。遊技盤１４の中央部には、本発明の構成要件の主要部である特別入賞装置４０が設けられると共に、該特別入賞装置４０の上方位置には、特別図柄表示装置５１（左図柄５１ａ、中図柄５１ｂ、右図柄５１ｃ）が設けられている。
【００２２】
そして、前記特別入賞装置４０の下方位置には遊技球の入賞に伴って前記特別図柄表示装置５１の各図柄５１ａ、５１ｂ、５１ｃの図柄変動を開始させる図柄始動口５６が設けられ、更に該図柄始動口５６の左右位置には普通入賞口である左袖入賞口５２、右袖入賞口５３及び左落し入賞口５４、右落し入賞口５５が各々設けられる。又、該図柄始動口５６の下方位置には特別電動役物である大入賞口５０が設けられている。
【００２３】
この遊技盤１４面には、遊技者によって弾発発射された遊技球の落下方向を無作為に変更させたり、その流下速度を変化させる風車６０，６０やランプ風車６２，６２等が設けられ、弾発発射された遊技球は遊技盤１４の遊技領域内を転動しつつ落下し、何れの入賞口に入賞しなければ遊技領域の最下部に設けられた排出口６３から遊技盤１４の裏側へ排出される。
【００２４】
図３は、前記特別入賞装置４０の構成を示した詳細図である。前記特別入賞装置４０は、その周囲を囲う枠体４１の頂部に遊技盤１４面を転動落下してくる遊技球が該特別入賞装置４０の内部へ落入可能なように、遊技球１個分の大きさよりもやや大きめの入賞口（落入口）４４が設けられ、該枠体４１の内部空間には、モータの駆動により図中矢示した一定方向に回転される回転体４６が設けられている。
【００２５】
この回転体４６は、中央部分が盛り上がった円盤状をなし、その周縁には前記入賞口４４より枠体４１内に落入してきた遊技球が１個ずつ係留可能な円弧形状の切欠係入孔４２，４２・・が複数（本実施例では４箇所）設けられている。そして、該回転体４６の下側には、該切欠係入孔４２，４２に受止された遊技球が落入可能な特定領域入賞口４８と普通領域入賞口４９が設けられる。この場合、特定領域入賞口４８は遊技球の落入により該遊技機の「大当たり」が発生する入賞口であり、該普通領域入賞口４９は「大当たり」は発生しない入賞口ということになる。
【００２６】
そして図４（ａ）に示すように、前記入賞口（落入口）４４から特別入賞装置４０の内部へ落入した遊技球は回転体４６の中央部分へ落下すると、既述したように該回転体４６はその中央部分が盛り上がった円盤形状をもって構成されることから、該回転体４６上に落下した遊技球はその傾斜に沿って該回転体４６の周辺縁方向へ向かって転動する。
【００２７】
ここで縁辺方向へ向かって転動した遊技球は、その四方縁辺に設けられた切欠係入孔４２の何れかに係入され、その回転に伴って図中矢示方向へと運ばれる。そして、普通領域入賞口４９若しくは特定領域入賞口４８のどちらかの入賞口に抜き落とされることになる。
【００２８】
例えば、回転体４６上に落下した遊技球が図４（ｂ）に示す切欠係入孔４２（４２ａ）に係入されたとすると、該遊技球は切欠係入孔４２（４２ａ）に係入されたままの状態で回転体４６の回転に伴って図中矢示方向へと移動していく。すると、該切欠係入孔４２（４２ａ）は先ず普通領域入賞口４９上を通過することになり、該切欠係入孔４２（４２ａ）に係入された遊技球は普通領域入賞口４９へ抜き落とされることになる。また、遊技球が図４（ｂ）に示す切欠係入孔４２（４２ｂ）に係入されたとすると、該切欠係入孔４２（４２ｂ）は普通領域入賞口４９よりも先に特定領域入賞口４８上を通過することから、該遊技球は特定領域入賞口４８へ抜き落とされることになる。
【００２９】
次に、図５は特別図柄表示装置５１の外観図を示している。特別図柄表示装置５１の各図柄５１ａ、５１ｂ、５１ｃは、夫々「０」〜「９」までの数字と「Ｌ」（ＬＵＣＫＹの略）の文字の合計１１種類の記号が７セグメントデジタル表示により表示されるように構成される。そして、前記各図柄５１ａ、５１ｂ、５１ｃの組合せが次の表１（ａ）及び（ｂ）に示した図柄、いわゆる「大当たり」図柄のうちの何れかであった場合は、「大当たり」が発生することになる。
【００３０】
【表１】
0004074010.tif 000002
【００３１】
前記「大当たり」図柄の組合せは、表１（ａ）に示したように左右の図柄５１ａ、５１ｃが「０」〜「９」の何れかの数字で一致し、真中の図柄５１ｂが「Ｌ」である場合（非特定図柄）と、表１（ｂ）に示したように各図柄５１ａ、５１ｂ、５１ｃが全て同一図柄である場合（特定図柄）である場合の２種類が設定される。本遊技機では、表１（ａ）及び（ｂ）に示した「大当たり」図柄のうち、何れかの図柄が表示される抽選確率として最低確率（１／３２０）状態と最高確率（１／５０）状態の２種類が設定される。
【００３２】
前記抽選確率は、遊技開始時には最低確率（１／３２０）状態が設定される。そして、特別図柄表示装置５１に表示された図柄の組合せが前記表１（ｂ）に示す「特定図柄」の何れかの組合せであった場合は、以後の遊技状況における抽選確率は最高確率（１／５０）状態が設定され、更に特別図柄表示装置５１の各図柄５１ａ、５１ｂ、５１ｃが変動を開始してから停止するまでの図柄変動時間が５．８秒間から５．０秒間に短縮される。但し、表示された図柄の組合せが表１（ａ）に示す「非特定図柄」の何れかの組合せであった場合は、以後の遊技状況における抽選確率は最低確率（１／３２０）状態が設定され、又前記図柄変動時間も５．８秒間が設定されることになる。
【００３３】
尚、前記特別図柄表示装置５１の両側部には、前記図柄始動口５６に遊技球が落入した時に点灯される記憶用ランプ５１ｄが設けられ、最大４個までの遊技球の落入個数を記憶する。ここで該図柄始動口５６に遊技球が４個以上落入した場合は、その落入に伴う賞球は払出されるが図柄変動には寄与しない。但し、前記抽選確率が最高確率（１／５０）状態にある場合には、記憶用ランプ５１ｄの個数に関係なく、該図柄始動口５６に遊技球が落入した全ての個数分の図柄変動を繰り返すように設定される。
【００３４】
次に、図６は特別電動役物である大入賞装置（大入賞口）５０の外観図を示している。大入賞口５０は、その前面に普段は閉鎖され「大当たり」の発生と共に開放される大入賞口扉５０ａが設けられると共に、その内部には、落入した遊技球が通過可能な図示しない通過入賞口が設けられる。そして、既述したように「大当たり」が発生すると該大入賞口扉５０ａが開放され、更にこの開放された大入賞口５０に落入した遊技球は図示しない通過入賞口へと集められ順次落入するように構成される。
【００３５】
図７は、パチンコ遊技機の裏面図を示している。パチンコ遊技機１０の裏面に設けられる機構板７０面の上方位置に、遊技場の島から供給される遊技球を一時貯留する賞球タンク７１が設けられると共に、その賞球タンク７１に連設されてタンクレール７２が設けられ、このタンクレール７２の賞品球流下端部位に賞球払出機構部８０が連設される。
【００３６】
タンクレール７２には、前記賞球タンク７１やタンクレール７２上の遊技球の補給状態により作動される補給スイッチ８１が設けられ、又、賞球払出機構部８０の直前において賞品球の球切れを検出し球払出しの空動作を防止する為の空切り防止スイッチ８２が設けられている。更に、該賞球払出機構部８０より払出された賞球が遊技機内に充満した場合にこれを検出する満タンスイッチ８３、或いは、遊技機内に遊技球が充満した時に遊技球の払出しを一旦停止させる満タンストッパ８４等も備えられる。
【００３７】
機構板７０には、遊技盤１４面の各入賞口に入った入賞球（セーブ球）を一球毎に球切りして検出するセーフ球排出機構部８５も設けられ、このセーフ球排出機構部８５により検出されたセーブ球は、この後機外へ排出されるようになっている。又、遊技盤１４の裏面は、中央カバー８６に覆われている各セーフ球誘動樋を介してセーフ球排出機構部８５へ導出される。
【００３８】
この機構板７０には、各種の制御基板が取付けられている。例えば、プリペイドカードに係わる情報をパチンコ遊技機１０の外部において処理するプリペイドカードユニット２５と遊技機本体とを接続するＣＲ外部接続端子基板８７を含む外部接続端子９７、発生したセーフ球の種別に応じて所定個数の賞球を前記賞球払出機構部８０に払出し動作させたり、球貸出しボタン２７の操作による球貸出し要求信号に基づいてその賞品球払出機構部８０に貸し球の払出しを動作させる回路が装着されたＣＲ賞球払出制御基板８８、該ＣＲ賞球払出制御基板８８とプリペイドカードユニット２５との間に設けられ、プリペイドカードの情報と球貸し操作部２６への球貸し要求信号と球貸し状態を表示する度数表示情報、及び、球貸し情報に基づいてＣＲ賞球払出制御部を司令制御する情報との授受を行うカードインターフェイス基板８９が設けられる。
【００３９】
また、前記ＣＲ外部接続端子基板８７、カードインターフェイス基板８９、ＣＲ賞球払出制御基板８８相互間においてカードデータ処理に係わる信号を中継するＣＲ中継基板９０、遊技盤１４面で発生したセーフ球を検出して特別図柄表示装置５１を駆動制御し、その図柄の表示態様を設定切換え制御し、入賞の種別に対応して所定個数の賞球払出しをＣＲ賞球払出制御部へ指令する等の処理を行う主制御基板９１等がこの機構板７０に取付けられている。
【００４０】
そして、これら独立して組付けられた各種基板がパチンコ遊技機に組付けられた後、コネクタ配線により互いに脱着可能に接続されている。尚、パチンコ遊技機１０の外部のプリペイドカードユニット２５と遊技機本体との間の情報の入出力は、カードインターフェイス接続部９２を介して行われる。
【００４１】
前記ＣＲ賞球払出制御基板８８は、賞球の不足欠乏、供給及び排出状態の異常を検出し、払出し動作の停止と、表示動作を合わせて行う。ここにはＣＲ賞球払出制御基板８８や賞球払出機構部８０等の賞球払出制御機構において、遊技球の不足、球詰まり、回路操作異常、ソフトエラー等の異常が発生した場合に、その旨を表示するエラー表示部９３、或いはエラー状態が解除された場合に前記エラー表示部９３を初期状態に復帰リセットさせるエラー表示リセットボタン９４が設けられる。
【００４２】
パチンコ遊技機１０で発生した各種情報は、機構板７０の上部片隅に設けられる外部接続端子９７を介して遊技機外部の遊技場管理装置へ出力される。特別図柄表示装置５１の表示図柄、若しくは入賞装置の始動回数、所定図柄の確定により発生する大当たりの発生回数、遊技者に特別な利益状態を継続させる継続情報、当該パチンコ遊技機における当たりの出現確率、不正検出信号等の各種情報がこの外部接続端子９２を介して入出力されることになる。
【００４３】
尚、機構板７０の裏面下方隅寄り位置に設けられる打球発射装置１００は、打球発射モータ１０１の他、発射装置制御回路、打球槌、弾発力調整手段等により構成され、打球発射装置１００に近接して設けられる発射装置制御基板１０４には打球発射モータ１０１の駆動制御回路及びタッチスイッチ回路が含まれ、打球発射モータ１０１の駆動制御回路では、モータの回転速度、トルク、特に１分間に発射する打球間隔、速度等が設定されている。
【００４４】
図８は、遊技盤１４面の各種入賞口を通過した遊技球の遊技盤裏面における流出経路及び、各種スイッチ類やソレノイド類等の配置状態を示した図である。図示するように、前記特別入賞装置４０に設けられた普通領域入賞口４９における遊技球の通過経路には、その入賞を検知する普通領域用スイッチ１２０が設けられ、更に特定領域入賞口４８における遊技球の通過経路には、その入賞を検知する特定領域用スイッチ１２４が設けられる。
【００４５】
また、図柄始動口５６における遊技球の通過路には、その通過を検知する図柄始動用スイッチ１２２が設けられ、更に前記大入賞口５０における遊技球の通過経路には、その入賞を検知する大入賞口用スイッチ１２８が設けられる。そして、これらの各スイッチにおいて遊技球の通過が検知されると、前記普通領域用スイッチ１２０及び特定領域用スイッチ１２４、大入賞口用スイッチ１２８からの検知信号に基づいて各々１５個の賞球が、又、前記図柄始動用スイッチ１２２からの検知信号に基づいては１０個の賞球が図示しない賞球払出機構部８０から払出されるように構成される。
【００４６】
尚、前記左右袖入賞口５２，５３及び左右落し入賞口５４，５５における各遊技球の流出経路にはその入賞を検出するスイッチは設けられていないが、セーフ球排出機構部８５に設けられるセーフ球排出ソレノイド１２７によりセーフ球が１個ずつ排出される間に、セーフ球検出スイッチ１３３によって入賞球の合計個数がカウントされることから、この個数差分だけ６個ずつの賞球が払出されるように構成される。
【００４７】
図９は、前記図６及び図７に示した各種制御基板やスイッチ類、ソレノイド類等の接続関係を示す制御ブロック図である。この制御ブロック図に示すように、特別図柄表示装置５１の特別図柄制御基板５１ｅは、主制御基板９１に接続され、その表示される図柄等に関する制御指示が行われるようになっている。又、前記特別入賞装置４０を制御する特別入賞装置基板４０ａは、中継基板９１ａを介して主制御基板９１に接続される。
【００４８】
この特別入賞装置基板４０ａには、前記特別入賞装置４０に設けられる普通領域入賞口４９への遊技球の入賞を検知する普通領域用スイッチ１２０及び特定領域入賞口４８への遊技球の通過を検知する特定領域用スイッチ１２４、そして、図柄始動口５６への遊技球の通過を検知する図柄始動用スイッチ１２２が接続される。更に、前記中継基板９１ａには大入賞口５０における大入賞口用スイッチ１２８が接続され、各々の遊技状況に応じた制御指示が行われる。
【００４９】
一方、ＣＲ賞球払出制御基板８８は、直接主制御基板９１と接続される。このＣＲ賞球払出制御基板８８には、セーフ球排出機構部８５に設けられるセーフ球検出スイッチ１３３及びセーフ球排出ソレノイド１２７等が接続される。更に図示しないが、賞球払出機構部８０に設けられる賞球払出分配基板１３２には、賞球モータ１３４及び、賞球の払出個数を検知するフォトセンサ１３５等が間接的に接続されている。そして、前記セーフ球検出スイッチ１３３によって検出された検知信号は、既述したように主制御基板９１及びＣＲ賞球払出制御基板８８に出力されて処理される。尚、本遊技機には上記説明した以外にも各種制御基板及び検出スイッチ等が接続されているが、その図示及び説明については割愛する。
【００５０】
図１０は、本遊技機において「大当たり」が発生する遊技状況として、前記特別入賞装置４０に設けられる特定領域入賞口４８に遊技球が落入して「大当たり」が発生する第１の遊技状況を示したフローチャートである。遊技者によって発射された遊技球が遊技盤１４に設けられた左右袖入賞口５２，５３、又は左右落し入賞口５４，５５の普通入賞口の何れかへ入賞する（Ｓ１２「ＹＥＳ」）と、その入賞に伴って各々６個ずつの賞球が払出される（Ｓ１４）。そして、前記Ｓ１０にて発射された遊技球が落入口４４より特別入賞装置４０の内部に落入する（Ｓ１６「ＹＥＳ」）と、既述したように、遊技球は先ず該特別入賞装置４０の内部に設けられた回転体４６上に落下し、該回転体４６に設けられた切欠係入孔４２，４２の何れかに係入される。
【００５１】
そして、前記切欠係入孔４２，４２に係入された遊技球は、回転体４６の回転に伴って移動し、特定領域入賞口４８若しくは普通領域入賞口４９の何れかに振り分けられて抜き落とされる。ここで該遊技球が特定領域入賞口４８に抜き落とされる（Ｓ１８「ＹＥＳ」）と、その落入が特定領域用スイッチ１２４によって検知され、その検知信号に基づいて１５個の賞球が払出される（Ｓ２０）。更に「大当たり」が発生し（Ｓ２２）、条件装置が作動することになる。
【００５２】
また、前記Ｓ１８にて示したように、回転体４６によって振り分けられた遊技球が特定領域入賞口４８に抜き落とされなかった場合は、該遊技球は普通領域入賞口４９へ抜き落とされることになる（Ｓ１８「ＮＯ」、Ｓ２４）。ここで普通領域入賞口４９へ遊技球が落入すると、その落入が普通領域用スイッチ１２０に検知され、その検知信号に基づいて１５個の賞球が払出される（Ｓ２６）。但し、この場合は所定個数の賞球が払出されるのみで「大当たり」は発生しない。
【００５３】
更に、前記Ｓ１６に示したように、遊技球が遊技盤１４面に設けられた各種入賞口や装置等の何れにも落入しない（Ｓ１６「ＮＯ」）場合においても、賞球の払出しは行われず遊技状況も変化しない。
【００５４】
図１１は前記特別図柄表示装置５１に「大当たり」図柄が表示されて「大当たり」が発生する第２の遊技状況を示したフローチャートである。既述したように、遊技者によって発射された遊技球が遊技盤１４面に設けられる図柄始動口５６に落入する（Ｓ３０「ＹＥＳ」）と、その通過が図柄始動用スイッチ１２２に検知され、該スイッチ１２２から発せられる検知信号に基づいて１０個の賞球が払出される（Ｓ３２）。そして、特別図柄表示装置５１の各図柄５１ａ、５１ｂ、５１ｃが各々個別に変動を開始する（Ｓ３４）。
【００５５】
前記特別図柄表示装置５１は、変動を開始してから所定時間（例えば５．８秒間）が経過すると順次停止し、図柄を表示確定する。ここで表示された図柄の組合せが前記表１（ａ）及び（ｂ）に示す何れかの組合せであった場合（Ｓ３６「ＹＥＳ」）は、「大当たり」が発生し、それを報知する音声が発せられる（Ｓ２２）。但し、前記Ｓ３０にて示したように図柄始動口５６に遊技球が落入しなかった（Ｓ３０「ＮＯ」）場合、及び、前記Ｓ３６に示したように「大当たり」図柄が表示されなかった（Ｓ３６「ＮＯ」）場合は、遊技状況の変動は発生せず、又「大当たり」も発生しないことになる。
【００５６】
このように、本遊技機においては「大当たり」が発生する遊技状況は複数（本実施例においては２種類）が設定され、どちらの遊技状況が発生しても「大当たり」が発生するように設定される。但し、これらの遊技状況のうちのどちらか一方が発生すると、他方に「大当たり」が発生する遊技状況が発生しても「大当たり」発生しないように設定される。つまり、図１２のブロック図に示すように、特定領域入賞口４８へ遊技球が落入して特定領域入賞口用スイッチ１２４にその落入が検出されるか、又は、特別図柄表示装置５１に「大当たり」図柄が表示されるか、どちらか早く発生した方の遊技状況のみが有効とされて「大当たり」が発生することになる。
【００５７】
例えば、特別図柄表示装置５１が変動中にも関わらず遊技球が特定領域入賞口４８に落入し、該特別図柄表示装置５１が前記「大当たり」図柄を表示するよりも先に特定領域入賞口用スイッチ１２４が遊技球の落入を検知した場合は、前記図１０に示したように特定領域入賞口４８への遊技球の落入により「大当たり」が発生することになる。
【００５８】
前記特定領域入賞口用スイッチ１２４に遊技球の落入が検知されると、例えその直後に特別図柄表示装置５１に「大当たり」図柄が表示されたとしても、その遊技状況は「大当たり」の発生には寄与されない。又、該遊技球の落入が検知された直後に再度特定領域入賞口４８に遊技球が落入しても、既に「大当たり」が発生していることから、これも「大当たり」の発生には寄与することなく１５個の賞球が払出されるのみである。
【００５９】
また逆に、前記特別入賞口４０内に落入した遊技球が特定領域入賞口４８に落入するよりも早く特別図柄表示装置５１に前記「大当たり」図柄が表示された場合は、前記図１１に示した特別図柄表示装置５１における「大当たり」図柄の表示により「大当たり」が発生することになる。
【００６０】
そして、この場合も同様に、例え特別図柄表示装置５１が「大当たり」図柄を表示した直後に遊技球が特定領域入賞口４８に落入したとしても、更に該特別図柄表示装置５１が続けて「大当たり」図柄を表示したとしても、既に該特別図柄表示装置５１による「大当たり」が発生していることから、これら遊技状況の発生も「大当たり」の発生には寄与せず無効となる。このように、どちらか一方の遊技状況によって一度「大当たり」が発生した場合には、その「大当たり」における遊技動作が終了するまでの間、「大当たり」が発生する遊技状況は無効となるように構成される。
【００６１】
図１３は、本遊技機の「大当たり」が発生する抽選確率及び該抽選確率に基づく遊技状況の切換設定を示したフローチャートである。抽選確率等の切換設定は、前記図１１に示した特別図柄表示装置５１に「大当たり」図柄が表示されることによって「大当たり」が発生する場合にのみ発生する。そして図示するように、特別図柄表示装置５１に「大当たり」図柄が表示され（Ｓ３６）、ここで表示された「大当たり」図柄が前記表１（ｂ）特定図柄に示した図柄の何れかであった場合（Ｓ４０「ＹＥＳ」）は、抽選確率は最高確率（１／５０）が設定されるように構成される（Ｓ４２）。
【００６２】
前記最高確率（１／５０）が設定されると、それに伴って特別図柄表示装置５１の各図柄５１ａ、５１ｂ、５１ｃが変動を開始してから図柄を停止確定するまでに要する図柄変動時間は５．０秒間に短縮され（Ｓ４４）、更に前記図柄始動口５６に落入した全遊技球個数分の図柄変動を行うように、前記特別図柄表示装置５１を変動させる記憶個数が無制限に設定されることになる（Ｓ４６）。
【００６３】
また、前記Ｓ４０に示したように、前記特別図柄表示装置５１に表示された図柄の組合せが前記表１（ａ）通常図柄に示した図柄の何れかであった場合（Ｓ４０「ＮＯ」）は、抽選確率は最低確率（１／３２０）が設定されるように構成される（Ｓ４８）。最低確率（１／３２０）が設定されると、該特別図柄表示装置５１の各図柄５１ａ、５１ｂ、５１ｃにおける図柄変動時間は５．８秒（Ｓ５０）、該特別図柄表示装置５１を変動させる記憶個数は最大４個が設定されるように各々交際される（Ｓ５２）。
【００６４】
この抽選確率等の切換設定は、「大当たり」における遊技動作が終了し、通常の遊技状況に復帰した後に有効になる。そして既述したように、抽選確率等は、特別図柄表示装置５１における「大当たり」発生時にのみ切換設定されることから、次回特別図柄表示装置５１における「大当たり」が発生するまで抽選確率等の設定は維持されることになる。
【００６５】
尚、前記抽選確率における最高確率値（本遊技機においては１／５０）は最低確率値（本遊技機においては１／３２０）の１０倍の範囲内で設定され、更に１／５０を越えることがないように構成される。
【００６６】
図１４は、前記図１０及び図１１に示したＳ２２によって「大当たり」が発生した場合の作動を示したフローチャートである。尚、本遊技機において「大当たり」が発生する遊技状況は複数が設定されるが、該「大当たり」における条件装置の作動内容は同一であるものとする。前記したように、特定領域入賞口４８に遊技球が落入するか、若しくは、特別図柄表示装置５１に「大当たり」図柄が表示されるかの何れかの遊技状況が発生すると、Ｓ２２に示すように「大当たり」が発生する。「大当たり」が発生すると、それに伴って条件装置が作動し遊技盤１４面の下方に設けられた大入賞口５０が３０秒間開放される（Ｓ６０）。
【００６７】
ここで開放された大入賞口５０に遊技球が入賞する（Ｓ６２「ＹＥＳ」）と、その入賞が大入賞口用スイッチ１２８によって検知され、該スイッチ１２８からの検知信号に基づいて入賞球１個につき１５個ずつの賞球が払出される（Ｓ６４）。尚、この大入賞口５０への遊技球の入賞球個数はカウントされ（Ｓ６６）、大入賞口５０が開放されてから３０秒が経過するまで、若しくは、該カウント数１０個に至るまで（Ｓ６８「ＮＯ」）の間、大入賞口５０は開放された状態を維持するように構成される。
【００６８】
そして前記Ｓ６８に示したように、前記大入賞口５０への入賞球個数（カウント数）が１０個に至った場合、若しくは、該大入賞口５０が開放されてから３０秒が経過するかの何れかの遊技状況が発生する（Ｓ６８「ＹＥＳ」）と、大入賞口５０は一旦閉鎖されることになる（Ｓ７０）。
【００６９】
また、前記Ｓ６２に示すように、前記大入賞口５０が開放されたにも関わらず遊技球が全く大入賞口５０に入賞しなかった場合（Ｓ６２「ＮＯ」）においても、前記Ｓ６８に示したように、該大入賞口５０が開放してから３０秒が経過すれば該大入賞口５０は一旦閉鎖されるように設定される。
【００７０】
前記大入賞口５０の開放は１６回（１６ラウンド）が設定され、前記Ｓ７０に示したように該大入賞口５０が一旦閉鎖されると、この閉鎖によって該大入賞口５０が１６ラウンド分の開放を終了したか否かが判定される。ここでもし、１６ラウンド分の開放を終了していない（Ｓ７２「ＮＯ」）と判定された場合には、前記Ｓ６０に戻って再度大入賞口５０を開放し、上記動作を繰り返すことになる。
【００７１】
また、前記ラウンドが１６ラウンドに至っていれば（Ｓ７２「ＹＥＳ」）、その１６回目（１６ラウンド目）の条件装置の作動が終了した時点で大入賞口５０は閉鎖され、更に「大当たり」における条件装置の作動が終了するように構成される（Ｓ７４）。
【００７２】
尚、前記「大当たり」が発生している最中に前記図柄始動口５６に遊技球が落入しても、１０個の賞球が払出されるのみで特別図柄表示装置５１は変動を開始しない。又同様に、特定領域入賞口４８に遊技球が落入した場合も、１５個の賞球が払出されるのみで「大当たり」は発生しない。このように、一度「大当たり」が発生すると、その「大当たり」における条件装置の作動が終了するまで「大当たり」が発生する起因となる遊技状況は全て無効となるように構成される。
【００７３】
本発明は、上記した実施の形態に何ら限定されるものではなく、本発明の趣旨を逸脱しない範囲で種々の改変が可能である。例えば、本実施例においては特別入賞装置内に設けられる回転体の回転方向及び回転速度を一定としたが、遊技盤面に回転体を始動させる入賞口を設けて遊技球の落入に伴って回転方向や速度等が変動するようにしたり、大入賞口の内部に特定の入賞口を設けて遊技球の通過に応じて条件装置を連続動作するようにしたり、更に、該遊技盤面に設けられる各入賞口や装置等の配置及び形状の追加変更、遊技条件の設定内容及びその制御方法、そして「大当たり」発生時における遊技状況や遊技者に払出される賞球数等の追加変更等は適宜可能である。
【００７４】
そして、図柄表示装置において図柄の変動が可能とされる図柄作動用の入賞記憶がある場合に、各入賞記憶に対応する図柄の変動開始から変動終了に至る表示変動時間を短くすることにより図柄表示装置の作動率は高められ、更に該変動時間を長くすることにより作動率は低く設定することが可能となる。よって、図柄表示装置において遊技者に特別の利益を設定する「大当たり」図柄が出現する確率を低確率と高確率とで切換設定する大当たり発生確率切換手段が設けられたパチンコ遊技機において、該低確率と高確率との別により前記図柄表示装置の作動率を変化させる場合と、作動率を変化させない場合とに変換する作動率変換手段や該作動率の別により（パチンコ遊技機の許可基準を定める風俗営業法に関する規定により）、いわゆる条件装置が作動する図柄表示装置の表示結果を得る確率を切り換える作動率切換手段を設けることも考えられる。
【００７５】
また「大当たり」が発生する際に、その発生を予告する予告表示（リーチ表示）を特別図柄表示装置等の図柄表示部に出現させ、更に、該予告表示（リーチ表示）を行う表示パターンを多数設定して切換表示するようにしたり、該予告表示（リーチ表示）に遊技者への特別な利益状態に繋がるようなスペシャルリーチ状態を設定し、予め設定した遊技時間周期（例えば１０分回に１回程度）をもってスペシャルリーチ状態が出現することも可能である。
【００７６】
【発明の効果】
本発明の請求項１に記載されるパチンコ遊技機によれば、図柄始動口への遊技球の入賞に伴って図柄表示装置が変動を開始し、ここで「大当たり」図柄が表示されれば大入賞口が開放されることになる。そして更に、特別入賞装置の内部に備えられた特定領域入賞口に遊技球が落入した場合にも同様に「大当たり」が発生することから、遊技者にとってはどちらの「大当たり」が発生してもよいことになる。このように「大当たり」が発生する契機となる遊技状況が複数設定されることによって、例え図柄表示装置に「大当たり」図柄が表示されない状況が続いたとしても、特定領域入賞口に遊技球が落入するかも知れないという期待感を持つことができることから、遊技者は「大当たり」発生に対する期待感を失うことなく遊技を楽しむことができる。
そして請求項１に記載の発明のように、特定領域入賞口に遊技球が落入して「大当たり」が発生する際に特別図柄表示装置の停止図柄が「大当たり」図柄を表示しても「大当たり」を起動させないようにし、又逆に、請求項２に記載の発明のように、特別図柄表示装置の停止図柄が「大当たり」図柄を表示して「大当たり」が発生する際に特定領域入賞口に遊技球が落入しても「大当たり」が起動しないようにすると、効率的に「大当たり」動作が実施できることから、遊技者は存分に「大当たり」における遊技状況を楽しむことができる。
そして請求項３に記載の発明のように、特別入賞装置に落入した遊技球を回転体でもって特定領域入賞口と普通領域入賞口とにランダムに振り分けて落入させるようにし、更に該振り分けられた遊技球が特定領域入賞口に落入すれば「大当たり」が発生するようにするとよい。これによって遊技が単調になることを防止できると共に、この特定領域入賞口に遊技球が落入すれば確実に「大当たり」が発生することから遊技者の期待感は高く、これによって興趣を高めることが可能となる。
そして請求項４に記載の発明のように、特別図柄表示装置には「大当たり」図柄が表示される最高確率と最低確率を備えて、これらの抽選確率が特別図柄表示装置の表示される図柄をもって切換設定されるようにし、更に請求項５に記載の発明のように、抽選確率に応じて特別図柄表示装置の変動記憶数も切換設定するようにすれば、遊技者の「大当たり」への期待感を更に煽ることから、遊興性の高い遊技機を提供することができる。又、前記抽選確率が最高確率に設定された場合などは、図柄変動に要する時間が短縮されるほど「大当たり」が早く発生することになり遊技者は高い満足度を得ることになる。
【図面の簡単な説明】
【図１】本発明の一実施の形態におけるパチンコ遊技機の正面外観図である。
【図２】前記図１に示した遊技盤面の正面図である。
【図３】前記図２に示した特別入賞装置の外観図である。
【図４】前記図３に示した特別入賞装置に落入した遊技球の経路を示した図である。
【図５】前記図２に示した特別図柄表示装置の外観図である。
【図６】前記図２に示した大入賞口の開放状態を示した外観図である。
【図７】本遊技機の裏面図を示した図である。
【図８】本遊技機の裏面における入賞球（セーフ球）の流出経路及び、各種スイッチ類やソレノイド類等の配置状態を示した図である。
【図９】本遊技機における各種制御基板やスイッチ類、ソレノイド類等の電気的接続関係を示す制御ブロック図である。
【図１０】本遊技機における特定領域入賞口に遊技球が落入して「大当たり」が起動する場合の遊技動作を示した制御フローチャートである。
【図１１】本遊技機における特別図柄表示装置に「大当たり」図柄が表示されて「大当たり」が起動する場合の遊技動作を示した制御フローチャートである。
【図１２】前記図１０及び図１１に示した遊技動作の関係を示したブロック図である。
【図１３】本遊技機における抽選確率の切換設定を示したフローチャートである。
【図１４】本遊技機における大当たりの遊技動作を示したフローチャートである。
【符号の説明】
１０    パチンコ遊技機
１４    遊技盤
４２    切欠係入孔
４０    特別入賞装置
４６    回転体
４８    特定領域入賞口
４９    普通領域入賞口
５０    大入賞口
５１    特別図柄表示装置
５６    図柄始動口
【図１】
0004074010.tif 000003
【図２】
0004074010.tif 000004
【図３】
0004074010.tif 000005
【図４】
0004074010.tif 000006
【図５】
0004074010.tif 000007
【図６】
0004074010.tif 000008
【図７】
0004074010.tif 000009
【図８】
0004074010.tif 000010
【図９】
0004074010.tif 000011
【図１０】
0004074010.tif 000012
【図１１】
0004074010.tif 000013
【図１２】
0004074010.tif 000014
【図１３】
0004074010.tif 000015
【図１４】
0004074010.tif 000016